(57)【特許請求の範囲】
【請求項１】
支持ケースに上下方向に移動自在に設けられた基板と該基板の下側を回動支点として前記基板に対して開閉可能な蓋体とを有してなる可動役物と、
前記基板の裏面側に該基板の移動方向に沿って前記支持ケースに移動自在に設けられた移動部材と、
前記蓋体の下部に設けられた水平軸に一端側が回動自在に接続されて前記基板を超えて延び、長手方向中間部が前記基板に設けられた軸部に回動自在に支持され、長手方向他端部が前記移動部材に回動自在に接続された連結部材と、
前記支持ケースに対する前記基板の移動時に、前記移動部材の移動を規制して前記基板の移動に伴って前記連結部材を回動させる移動規制手段と
を有することを特徴とする遊技機の役物装置。
【請求項２】
前記移動規制手段は、前記支持ケースに設けられて前記基板の移動方向に延びる長孔と、前記移動部材に設けられて前記長孔に挿入される係合ピンを有し、前記基板の移動時に、前記長孔の上端部に前記係合ピンが当接することで、前記移動部材の移動を規制することを特徴とする請求項１に記載の遊技機の役物装置。
【発明の詳細な説明】
【技術分野】
【０００１】
本発明は、可動役物を備えた遊技機の役物装置に関する。
【背景技術】
【０００２】
遊技機の一種であるぱちんこ遊技機では、遊技盤に設けられた始動入賞口に
遊技球が入賞すると、遊技盤に設けられた図柄表示装置に表示される図柄が変動を開始し、所定時間経過後に停止した図柄が予め定められた大当り図柄となった場合に大当り状態となり、遊技者が大量の賞球を獲得できるようになっている。このような遊技機では、遊技の興趣を向上させるため、図柄表示装置の表示内容に応じて遊技盤に設けられた役物が移動可能に構成されたものがある。
【０００３】
例えば、特許文献１には、大当りになると、図柄表示装置の表示内容に連動して役物を左右方向に移動させることが開示されている。また、特許文献２ には、図柄が所定の組合せになると、役物を遊技盤の前後方向に移動させることが開示されている。
【先行技術文献】
【特許文献】
【０００４】
【特許文献１】特開２００４−１９５０８４公報
【特許文献２】特開平０６−００７５０９号公報
【発明の開示】
【発明が解決しようとする課題】
【０００５】
しかし、上記特許文献に開示される役物は、いずれも同一方向（左右方向又は前後方向）のみに移動する構成であるため、役物の可動量や可動タイミングに変化を与えても似たような動き方となり、遊技者に退屈感を抱かせてしまい、興趣に欠けるという問題がある。
【０００６】
本発明は、このような問題を解決するものであり、従前とは異なる斬新な動きが可能で遊技者に興趣を与えることができる遊技機の役物装置を提供することを目的とする。
【課題を解決するための手段】
【０００７】
このような課題を解決するため、本発明に係わる遊技機の役物装置は、支持ケースに上下方向に移動自在に設けられた基板と該基板の下側を回動支点として基板に対して開閉可能な蓋体とを有してなる可動役物と、基板の裏面側に該基板の移動方向に沿って支持ケースに移動自在に設けられた移動部材と、蓋体の下部に設けられた水平軸に一端側が回動自在に接続されて基板を超えて延び、長手方向中間部が基板に設けられた軸部（実施の形態における第１軸部２２ｃ、第２軸部２２ｄ）に回動自在に支持され、長手方向他端部が移動部材に回動自在に接続された連結部材と、支持ケースに対する基板の移動時に、移動部材の移動を規制して基板の移動に伴って連結部材を回動させる移動規制手段とを有することを特徴とする（請求項１）。
【０００８】
蓋体に設けられた水平軸は連結部材に連結されて蓋体の回動支点となる。基板に設けられた軸部は、連結部材の長手方向中間部を可動自在に支持する。軸部の基板に対する位置は、基板の移動時に基板に対して蓋体がスライド移動可能であり、また蓋体が基板に対して開閉可能な位置に設けられる。具体的には、軸部（実施の形態における第２軸部２２ｄ）の位置は、基板裏面側の下部に設けられ、水平軸と軸部との間の距離が、連結部材と移動部材との回動支点と軸部との間の距離よりも長くなる位置に設けられる。このようにすると、基板の移動時に、基板よりも速い速度で蓋体をスライド移動させることができる。
【０００９】
連結部材は、１本の部材で構成されたものや、２つの部材を回動自在に連結して構成されたものでもよい。
【００１０】
移動部材は、支持ケースに基板の移動方向に沿って移動自在に設けられる。具体的には、支持ケースに基板の移動方向に沿った延びる長孔を設け、移動部材に長孔に沿って移動可能な係合ピンを設ける。このように構成すると、基板の移動に伴って連結部材が回動すると、係合ピンが長孔に沿って移動して移動部材を基板の移動方向に沿って移動させることができる。
【００１１】
移動規制手段は、支持ケースに対する基板の移動時に、移動部材の移動を規制して基板の移動に伴って連結部材を回動させる。基板の移動時とは、具体的には、閉蓋時に基板が移動するときや、開いた蓋体を閉じるときをいう。
【００１２】
移動規制手段は、支持ケースに設けられて基板の移動方向に延びる長孔と、移動部材に設けられて長孔に挿入される係合ピンを有し、基板の移動時に、長孔の上端部に係合ピンが当接することで、移動部材の移動を規制する（請求項２）。
【００１３】
長孔は、移動部材の移動が規制可能であればよく、１本の長孔や複数本の長孔を支持ケースに設けてもよい。
【発明の効果】
【００１４】
本発明によれば、支持ケースに上下方向に移動自在に設けられた基板と該基板の下側を回動支点として基板に対して開閉可能な蓋体とを有してなる可動役物と、基板の裏面側に該基板の移動方向に沿って支持ケースに移動自在に設けられた移動部材と、蓋体の下部に設けられた水平軸に一端側が回動自在に接続されて基板を超えて延び、長手方向中間部が基板に設けられた軸部に回動自在に支持され、長手方向他端部が移動部材に回動自在に接続された連結部材と、支持ケースに対する基板の移動時に、移動部材の移動を規制して基板の移動に伴って連結部材を回動させる移動規制手段とを有することで、基板が下方へ移動すると、移動規制手段によって移動部材の移動が規制されて、基板の移動に伴って連結部材が回動して蓋体が基板に対して下方へ移動し、蓋体が水平軸を回動支点として自重で開く。このため、可動役物の直線的な下方への移動中に蓋体が急に開く回動作が行われる。従って、可動役物の斬新な動きが可能となり、遊技者に興趣を与えることが可能な遊技機の役物装置を提供することができる。
【図面の簡単な説明】
【００１５】
【図１】本発明の一実施の形態に係わる遊技機の役物装置の正面側の斜視図を示す。
【図２】本発明の一実施の形態に係わる遊技機の役物装置が設けられた遊技機の遊技盤の正面図を示す。
【図３】本発明に係わる遊技機の役物装置を示し、同図（ａ）は役物装置の左側面図であり、同図（ｂ）は役物装置の右側面図である。
【図４】本発明の一実施の形態に係わる遊技機の役物装置の裏面図を示す。
【図５】本発明の一実施の形態に係わる蓋体が開いた状態の可動役物の正面側斜視図を示す。
【図６】本発明の一実施の形態に係わる遊技機の役物装置の底面図を示す。
【図７】本発明に係わる遊技機の役物装置の動作を説明するための左側面図を示す。
【発明を実施するための形態】
【００１６】
以下、図面を用いて本発明を実施するための最良の形態を説明する。
【００１７】
図２（正面図）は、遊技機の遊技盤の上部に役物装置が配設された遊技機の構成例を示す。なお、遊技機は、ぱちんこ機を例にして説明するが、遊技機はぱちんこ機等の弾球遊技機に限るものではなく、スロットマシンでもよい。
【００１８】
初めに遊技機全体の説明をする。図２に示すように、遊技機１の前面側には正面視矩形状の前面ガラス３が設けられ、前面ガラス３の後方側には遊技盤５が配設されている。遊技盤５には、その中央部に図柄表示部７が配設され、図柄表示部７の下方には複数の入賞口９等が設けられ、図柄表示部７の上方には比較的に小さな径を有する可動役物１５とこの可動役物１５よりも大きな径を有する可動役物２１が配設されている。可動役物２１を駆動させる役物装置２０については後述する。図柄表示部７の周囲には図柄表示部７の中央側へ突出する装飾部材１１が設けられている。装飾部材１１は可動役物１５，２１の前側に配設されているが、透明な材料で形成されているので、装飾部材１１を介して可動役物１５，２１の視認が可能である。
【００１９】
前面ガラス３の下方には図示しない受け皿ユニットが配設され、受け皿ユニットの右側端部の下方には図示しない操作ハンドルが配設されている。この操作ハンドルは遊技者側へ突出し、遊技球を発射させる際に遊技者によって操作される。
【００２０】
図柄表示部７の幅方向中央の上方に配設された可動役物２１を駆動する役物装置２０は、図１（正面図）、図３（ａ）（右側面図）、図３（ｂ）（左側面図）、図４（背面図）に示すように、上下方向に延びて箱状に形成された支持ケース３０と、支持ケース３０の前側に配設された可動役物２１と、この可動役物２１を動かす駆動部５０を有してなる。
【００２１】
支持ケース３０は直方体状に形成され、矩形状に形成されて横方向に延びる天板部３０ａと、この右側の前側端部に接続されて下方へ延びる矩形状の前板部３０ｂと、前板部３０ｂの幅方向両側及び天板部３０ａに接続されて後方側へ延びる左右一対の側板部３０ｃ、３０ｄと、側板部３０ｃ、３０ｄの前後両端部から左右方向外側へ張り出す前側突出板部３０ｅ及び後側突出板部３０ｆを有して構成されている。
【００２２】
前側突出板部３０ｅは各側板部３０ｃ、３０ｄの上部から下端部に渡って設けられ、前板部３０ｂと略同一平面上に配設されている。後側突出板部３０ｆは各側板部３０ｃ、３０ｄの上端部から下端部に渡って設けられ、前側突出板部３０ｅと略平行に配設されている。前側突出板部３０ｅ、後側突出板部３０ｆ及びこれらを接続した側板部３０ｃ、３０ｄの下端部には底板部３０ｇが設けられている。
【００２３】
よって、前側突出板部３０ｅ、後側突出板部３０ｆ、底板部３０ｇ、天板部３０ａ、側板部３０ｃ、３０ｄによって囲まれた領域に直方体状の空間部３０ｈ，３０ｉが形成されている。これらの空間部３０ｈ，３０ｉ内に、後述する駆動部５０の一部を構成する駆動軸５１、案内軸５３が設けられる。
【００２４】
このように形成された支持ケース３０の前板部３０ｂに沿って可動役物２１が配置されている。可動役物２１は、正面視において円板状に形成された基板２２と、基板２２の表面側に配置されて基板２２の下側を回動支点として開閉可能に設けられた蓋体２５を有してなる。
【００２５】
基板２２は内側に空間部が形成されて基板後側が開口し、基板２２内には、ＬＥＤ等の発光素子を実装したプリント板２３が配設されている。基板２２は透明な合成樹脂材料製であるので、発光素子から発光した光は基板２２を透過可能である。基板２２の下部には、矩形状の切り欠き孔２２ａ（図４参照）が設けられている。この切り欠き孔２２ａは、基板２２に対して前後方向に貫通するとともに基板２２の下側周面に開口している。この切り欠き孔２２ａに後述する蓋体２５から延びる連結部材２６が上下方向に回動自在に配置されて蓋体２５を移動させ及び開閉させる。
【００２６】
切り欠き孔２２ａ内の上部には、図４，図５（部分正面図）に示すように、下方へ張り出す支持部２２ｂが設けられ、この支持部２２ｂの下端部に水平方向に延びる第１軸部２２ｃが挿着されている。この第１軸部２２ｃは支持部２２ｂの下端部の左右両側から突出し、突出した第１軸部２２ｃの両端部に連結部材２６の後述する第１連結部材２６ａが回動自在に支持される。切り欠き孔２２ａの上部後方側には、水平方向に延びる第２軸部２２ｄが設けられている。この第２軸部２２ｄは、基板２２の裏面から突出する一対の突出部２２ｅに設けられている。
【００２７】
基板２２の裏面側の左右方向両側の上部には、案内軸５３及び駆動軸５１に係合する一対の係合部１６，１７が設けられている。これら係合部１６，１７は、図１，図３に示すように、基板２２の上部から基板後方側へ延びる腕部１６ａ、１７ａの先端側に設けられている。係合部１６，１７は、略同じ大きさで上下方向に延びる筒状に形成され、基板２２の幅方向に対して左右対称に配置されている。係合部１６，１７の上端面は基板２２よりも上方に配置されるとともに、各係合部１６，１７の上端面は略同一平面上に配置されている。これら係合部１６，１７のうち左右方向右側に配置された係合部１７内には内側へ突出する突起部（図示せず）が複数設けられている。この突起部は空間部３０ｉ内に設けられた駆動軸５１の螺旋溝５１ａに係合して、駆動軸５１の回転に伴って螺旋溝５１ａに沿って移動して係合部１７を介して基板２２を上下方向に移動させる。
【００２８】
駆動軸５１は、駆動部５０の一部を構成し、支持ケース３０の左右方向右側の空間部３０ｉを仕切る天板部３０ａと底板部３０ｇとの間に回転自在に支持されている。駆動軸５１の表面には上下方向に延びる螺旋溝５１ａが形成されている。
【００２９】
駆動軸５１の上部は、支持ケース３０の天板部３０ａから上方へ突出し、この駆動軸５１の上部には駆動軸５１とともに回転可能な従動ギヤ５５が取り付けられている。従動ギヤ５５は、天板部３０ａの一方側の上面に回転自在に設けられた複数の動力伝達ギヤ５６を介してモータＭの軸部に取り付けられた駆動ギヤ５７に歯合している。このため、モータＭが駆動すると、駆動ギヤ５７、複数の動力伝達ギヤ５６、従動ギヤ５５を介してモータＭの動力が駆動軸５１に伝達される。
【００３０】
左右方向左側の係合部１６は、支持ケース３０の左右方向左側の空間部３０ｈ内に配置され、空間部３０ｈを仕切る天板部３０ａと底板部３０ｇとの間に回転自在に支持された案内軸５３に沿って移動可能に挿通されている。この係合部１６は、もう一方の係合部１７と相まって基板２２が幅方向に傾くのを防止する。
【００３１】
蓋体２５は、円状に形成された天板部２５ａと、この周囲から天板部一方側へ突出する周壁部２５ｂと、周壁部２５ｂの先端側に開口した開口部を覆う裏面板２５ｃ（図５参照）を有して円板状に形成されている。蓋体２５は、これが基板２２に対して閉じた状態（以下、閉蓋時Ｐｃと記す。）になると、周壁部２５ｂの先端部が基板２２の周縁部に沿って当接するように、蓋体２５の外径が基板２２の外径と略同じ寸法を有して形成されている。
【００３２】
蓋体２５の裏面板２５ｃの下部には開口部２５ｄ（図５参照）が形成され、開口部２５ｄ内側の蓋体２５内には、水平方向に延びる水平軸２５ｅが設けられている。この水平軸２５ｅに開口部２５ｄから挿入された連結部材２６の先端側が回動自在に接続されて、蓋体２５は、水平軸２５ｅを回動支点として上下方向に開閉自在である。
【００３３】
連結部材２６は、図５、図６（底面図）に示すように、一端側が蓋体２５内の水平軸２５ｅに回動自在に支持されて他端側が第１軸部２２ｃに回動自在に支持された第１連結部材２６ａと、一端側に設けられた長孔に第１連結部材２６ａに突設されたピンが挿入されて長孔２６ｃに沿って移動自在に支持され、長手方向中間部が第２軸部２２ｄに回動自在に支持され、他端部が後述する移動部材４０の下端部に回動自在に支持された第２連結部材２６ｂを有してなる。このため、蓋体２５は、第１連結部材２６ａを介して基板２２に連結されるとともに、第２連結部材２６ｂを介して基板２２に連結されている。よって、基板２２が上下方向に移動すると、蓋体２５は、第１連結部材２６ａ及び第２連結部材２６ｂを介して上下方向に移動する。
【００３４】
第２軸部２２ｄは、連結部材２６と移動部材４０との回動支点と第２軸部２２ｄとの距離Ｘに対して、水平軸２５ｅと第２軸部２２ｄとの間の距離Ｙが長くなる位置に設けられる（図７（ｂ）参照）。このようにすると、基板２２の移動時に、連結部材２６と移動部材４０との回動支点を中心として連結部材２６が下方へ回どうすると、基板２２よりも速い速度で蓋体２５をスライド移動させることができる。
【００３５】
蓋体２５内の水平軸２５ｅにはねじりコイルばね２７が装着され、このねじりコイルばね２７によって蓋体２５は開方向に附勢されている。また第２軸部２２ｄにもねじりコイルばねが装着され、このねじりコイルばねによって連結部材２６の蓋体側が下方へ回動するように附勢されている。
【００３６】
連結部材２６に接続された移動部材４０は、図４に示すように、支持ケース３０の一対の側板部３０ｃ、３０ｄ間に配置され、上下方向に延びる移動本体部４０ａと、移動本体部４０ａの上部両側に突設された一対の係合ピン４０ｂを有してなる。
【００３７】
移動部材４０は、蓋体２５の閉蓋時Ｐｃに、下端部が支持ケース３０から突出しないように支持ケース３０内に収容される。係合ピン４０ｂの移動を案内する長孔３５は、図７（ａ）に示すように、側板部３０ｄの上側から側板部３０ｄの下部に渡って延びる。側板部３０ｃに設けられている長孔３５も側板部３０ｄに設けられた長孔３５と同様である。これらの長孔３５は、蓋体２５の閉蓋時Ｐｃに係合ピン４０ｂが長孔３５の上端部に当接するように側板部３０ｃ、３０ｄに設けられている。なお、係合ピン４０ｂと長孔３５とを合わせて、以下、移動規制手段３４と記す。係合ピン４０ｂと長孔３５との関係については後述する。
【００３８】
このように構成された役物装置２０は、蓋体２５の閉蓋時ＰｃにモータＭが駆動すると、駆動軸５１が回転して係合部１６，１７が支持ケース３０に対して下方へ移動する。これと同時に基板２２が下方へ移動するに伴い、連結部材２６の第２連結部材２６ｂは移動部材４０との接続部を回動支点Ａとして下方へ回動する。このとき、移動規制手段３４の係合ピン４０ｂは長孔３５の上端部に当接した状態に維持されて移動部材４０の上方への移動を規制する。このため、第２連結部材２６ｂは、基板２２の下方への移動に伴って下方へ回動する。その結果、第１連結部材２６ａ（図５参照）の基板側は第１軸部２２ｃを回動支点として下方へ回動して、蓋体２５は基板２２よりも速い速度で基板２２に対して下方へスライド移動する。つまり、可動役物２１はモータＭが駆動すると、基板２２が下方へ移動しながら、蓋体２５が基板２２よりも速い速度で下方へスライド移動する。
【００３９】
そして、基板２２の下方への移動時に蓋体２５内の水平軸２５ｅの位置が蓋体２５の重心位置よりも基板側へ移動すると、蓋体２５は重力によって水平軸２５ｅを回動支点として下方へ回動する（図７（ｂ）参照）。
【００４０】
そして、基板２２がさらに下方へ移動すると、第２連結部材２６ｂの移動部材４０との接続部を回動支点Ａとして第２連結部材２６ｂがさらに下方へ回動して、蓋体２５が全開した状態に開く（図７（ｃ）参照）。そして、基板２２がさらに下方へ移動して連結部材２６を介して移動部材４０が下方へ移動するに伴い、基板２２と共に全開状態の蓋体２５が下方へ移動する。そして係合部１６、１７が支持ケース３０の底板部３０ｇに当接すると、可動役物２１の移動が停止する。
【００４１】
このように、役物装置２０の可動役物２１は、モータＭが駆動すると、基板２２が下方へ移動しながら、基板２２よりも速い速度で蓋体２５が下方へスライド移動し、その後に蓋体２５が重力によって突然に開く。このため、可動役物２１の動きが斬新ものとなり、遊技者に退屈感を抱かせ難くすることができ、遊技者に興趣を与えることができる。
【符号の説明】
【００４２】
１  遊技機
２１  可動役物
２２  基板
２２ｃ  第１軸部（軸部）
２２ｄ  第２軸部（軸部）
２５  蓋体
２５ｅ  水平軸
２６  連結部材
３０  支持ケース
３４  移動規制部材
３５  長孔
４０  移動部材
４０ｂ  係合ピン
【図１】
0005455052.tif 000002
【図２】
0005455052.tif 000003
【図３】
0005455052.tif 000004
【図４】
0005455052.tif 000005
【図５】
0005455052.tif 000006
【図６】
0005455052.tif 000007
【図７】
0005455052.tif 000008